(57)【要約】【課題】タッチ操作に同期して振動するタッチパネルの使用において、不快感の低減と操作感の維持とを両立させること。【解決手段】振動制御装置３００は、タッチ操作に同期して振動するタッチパネルと、タッチパネルとは別の振動源と、を備えた電子機器に対して用いられる装置であって、振動源の振動周波数を取得し、取得した振動周波数を、振動源の振動の卓越周波数とする卓越周波数取得部３２０と、取得された卓越周波数の音と協和する音の周波数である協和音周波数を判定する協和音判定部３３０と、タッチパネルの振動の周波数を、判定された協和音周波数に設定する振動周波数設定部３４０と、を有する。【選択図】図１
2014123293.tif 000002
【特許請求の範囲】
【請求項１】
タッチ操作に同期して振動するタッチパネルと、前記タッチパネルとは別の振動源と、を備えた電子機器に対して用いられる振動制御装置であって、
前記振動源の振動周波数を取得し、取得した前記振動周波数を、前記振動源の振動の卓越周波数とする卓越周波数取得部と、
取得された前記卓越周波数の音と協和する音の周波数である協和音周波数を判定する協和音判定部と、
前記タッチパネルの振動の周波数を、判定された前記協和音周波数に設定する振動周波数設定部と、を有する、
振動制御装置。
【請求項２】
前記振動源は、予め定められた異なる周波数で振動する複数の動作モードを切り替えて動作し、
前記卓越周波数取得部は、
前記振動源が前記複数の動作モードのうちいずれの動作モードで動作しているかを判定し、判定された前記動作モードに対応する前記周波数を、前記振動源の振動周波数として取得する、
請求項１に記載の振動制御装置。
【請求項３】
前記電子機器の振動を検出する振動センサ、を更に有し、
前記卓越周波数取得部は、
前記振動センサの振動データから、前記振動源の振動周波数を取得する、
請求項１に記載の振動制御装置。
【請求項４】
前記振動源は、回転モータを含み、
前記卓越周波数取得部は、
前記回転モータの回転周波数を、前記卓越周波数とする、
請求項１に記載の振動制御装置。
【請求項５】
前記振動周波数設定部は、
予め設定された周波数範囲に前記協和音周波数が含まれるか否かを判断し、前記周波数範囲に前記協和音周波数が含まれるとき、前記振動の周波数を前記協和音周波数に設定し、前記周波数範囲に前記協和音周波数が含まれないとき、前記振動の周波数を前記周波数範囲に含まれる周波数であって予め設定された値である周波数デフォルト値に設定する、
請求項１に記載の振動制御装置。
【請求項６】
前記周波数範囲は、前記振動を当該周波数範囲に設定したとき、前記タッチ操作の操作感が得られるような周波数範囲である、
請求項５に記載の振動制御装置。
【請求項７】
前記卓越周波数取得部は、
前記振動源が動作しているか否かを判断し、
前記振動周波数設定部は、
前記振動源が動作していないとき、前記振動の周波数を前記周波数デフォルト値に設定する、
請求項５に記載の振動制御装置。
【請求項８】
前記協和音判定部は、
取得された前記卓越周波数に、協和音の間の周波数比を乗じて得られる値を、前記協和音周波数として判定する、
請求項１に記載の振動制御装置。
【請求項９】
前記協和音の間の周波数比は、完全１度の周波数比、短３度の周波数比、長３度の周波数比、完全４度の周波数比、完全８度の周波数比、および、これらの周波数比に２の整数乗を乗じまたは除して得られる周波数比、のうち、少なくとも１つを含む、
請求項８に記載の振動制御装置。
【請求項１０】
前記タッチ操作により入力可能な操作内容を取得し、取得した前記操作内容に対して、前記周波数範囲および前記周波数デフォルト値を設定する周波数範囲設定部、を更に有し、
前記周波数範囲設定部は、
複数の前記操作内容に対して、異なる前記周波数範囲および異なる前記周波数デフォルト値を設定する、
請求項５に記載の振動制御装置。
【請求項１１】
タッチ操作を受け付けるタッチパネルと、
前記タッチ操作に同期して前記タッチパネルに振動を発生させる振動発生部と、
前記タッチパネルとは別の振動源と、
前記振動源の振動周波数を取得し、取得した前記振動周波数を、前記振動源の振動の卓越周波数とする卓越周波数取得部と、
取得された前記卓越周波数の音と協和する音の周波数である協和音周波数を判定する協和音判定部と、
前記振動の周波数を、判定された前記協和音周波数に設定する振動周波数設定部と、を有する、
電子機器。
【請求項１２】
タッチ操作に同期して振動するタッチパネルと、前記タッチパネルとは別の振動源と、を備えた電子機器に対して用いられる振動制御方法であって、
前記振動源の振動周波数を取得し、取得した前記振動周波数を、前記振動源の振動の卓越周波数とするステップと、
取得された前記卓越周波数の音と協和する音の周波数である協和音周波数を判定するステップと、
前記タッチパネルの振動の周波数を、判定された前記協和音周波数に設定するステップと、を有する、
振動制御方法。
【発明の詳細な説明】
【技術分野】
【０００１】
本発明は、タッチ操作に同期して振動するタッチパネルに対して用いられる、振動制御装置および振動制御方法に関する。
【背景技術】
【０００２】
近年、スマートフォンやタブレット端末あるいは家電製品等、入力インタフェースとしてタッチパネルを備えた各種の電子機器において、タッチ操作に同期してタッチパネルを振動させることが広く行われている（例えば特許文献１参照）。このようなタッチパネルの振動は、タッチ操作に触覚的なフィードバックを付与し、従来のキースイッチ操作において得られていた操作感（クリック感、タクタイル感）を補完することができる。
【０００３】
ところが、タッチパネルの振動（以下、適宜「パネル振動」という）は、電子機器の他の部分や、電子機器が置かれた机等に伝搬し、振動音を発生させることがある。このような、パネル振動により発生する振動音（以下、適宜「パネル振動音」という）の周波数は、通常、パネル振動の周波数に一致する。本来、パネル振動音は、不要な音であり、操作者や周囲の人に不快感を与え得る。
【０００４】
そこで、人の耳に伝わり難い周波数でパネル振動を行う技術が、例えば特許文献２に記載されている。また、高周波数の音を別途発生させることにより、パネル振動音を聞こえ難くする技術が、例えば特許文献３に記載されている。これらの従来技術は、パネル振動音による不快感を低減することができる。
【先行技術文献】
【特許文献】
【０００５】
【特許文献１】特開２００３−１２２５０７号公報
【特許文献２】特開２００６−７９１３６号公報
【特許文献３】特開２００８−１３００５５号公報
【非特許文献】
【０００６】
【非特許文献１】梅本堯夫、「音楽心理学」、誠信書房、第２章§３「協和に関する実験的知見」、１９６６年６月２８日
【発明の概要】
【発明が解決しようとする課題】
【０００７】
しかしながら、従来技術は、不快感の低減と操作感の維持とを両立させることが難しいという課題を有する。
【０００８】
理由は、以下の通りである。人の耳の可聴域は、通常、２０〜２万Ｈｚである。一方、電子機器の他の機能に悪影響を及ぼさない範囲で、タッチ操作の操作感が十分に得られるような振動の帯域は、通常、５０Ｈｚ〜４００Ｈｚ付近（特許文献３参照）である。すなわち、操作感が得られるパネル振動の周波数の大部分は、人の耳の可聴域と重複している。また、操作感を得るためには、ある程度の振動強度が必要であるが、その分、高周波数音の音量を大きく必要がある。すなわち、高周波数の音を別途発生させることは、操作者や周囲の人に与える不快感を増大させるおそれがある。
【０００９】
また、回転ファンやコンプレッサなど、タッチパネルとは別の振動源を備えた電子機器では、かかる振動に起因した音（以下「装置振動音」という）が発生することが多い。したがって、特にこのような電子機器では、パネル振動音と装置振動音とが混ざり合い、上記不快感を更に増大させ得る。
【００１０】
本発明の目的は、タッチ操作に同期して振動するタッチパネルの使用において、不快感の低減と操作感の維持とを両立させることである。
【課題を解決するための手段】
【００１１】
本発明の一態様に係る振動制御装置は、タッチ操作に同期して振動するタッチパネルと、前記タッチパネルとは別の振動源と、を備えた電子機器に対して用いられる振動制御装置であって、前記振動源の振動周波数を取得し、取得した前記振動周波数を、前記振動源の振動の卓越周波数とする卓越周波数取得部と、取得された前記卓越周波数の音と協和する音の周波数である協和音周波数を判定する協和音判定部と、前記タッチパネルの振動の周波数を、判定された前記協和音周波数に設定する振動周波数設定部と、を有する。
【００１２】
本発明の一態様に係る電子機器は、タッチ操作を受け付けるタッチパネルと、前記タッチ操作に同期して前記タッチパネルに振動を発生させる振動発生部と、前記タッチパネルとは別の振動源と、前記振動源の振動周波数を取得し、取得した前記振動周波数を、前記振動源の振動の卓越周波数とする卓越周波数取得部と、取得された前記卓越周波数の音と協和する音の周波数である協和音周波数を判定する協和音判定部と、前記振動の周波数を、判定された前記協和音周波数に設定する振動周波数設定部と、を有する。
【００１３】
本発明の一態様に係る振動制御方法は、タッチ操作に同期して振動するタッチパネルと、前記タッチパネルとは別の振動源と、を備えた電子機器に対して用いられる振動制御方法であって、前記振動源の振動周波数を取得し、取得した前記振動周波数を、前記振動源の振動の卓越周波数とするステップと、取得された前記卓越周波数の音と協和する音の周波数である協和音周波数を判定するステップと、前記タッチパネルの振動の周波数を、判定された前記協和音周波数に設定するステップと、を有する。
【発明の効果】
【００１４】
本発明は、タッチ操作に同期して振動するタッチパネルの使用において、不快感の低減と操作感の維持とを両立させることができる。
【図面の簡単な説明】
【００１５】
【図１】本発明の実施の形態１に係る振動制御装置の構成の一例を示すブロック図
【図２】本発明の実施の形態２に係る電子機器の構成の一例を示すブロック図
【図３】実施の形態２におけるタッチパネルの構成の一例を模式的に示す図
【図４】実施の形態２におけるタッチパネルの振動波形の一例を示す波形図
【図５】実施の形態２における周波数テーブルの一例を示す図
【図６】実施の形態２における協和音周波数比リストの一例を示す図
【図７】実施の形態２における表示画像の一例を示す平面図
【図８】実施の形態２における座標範囲情報の一例を示す図
【図９】実施の形態２における振動要否情報の一例を示す図
【図１０】実施の形態２における領域別周波数情報の一例を示す図
【図１１】実施の形態２に係る振動制御装置の動作の一例を示すフローチャート
【図１２】実施の形態２における卓越周波数取得処理の一例を示すフローチャート
【図１３】実施の形態２における装置振動音の周波数スペクトルの一例を示す図
【図１４】実施の形態２における振動周波数候補群の一例を示す図
【図１５】実施の形態２における振動周波数の決定の様子の一例を示す模式図
【発明を実施するための形態】
【００１６】
以下、本発明の各実施の形態について、図面を参照して詳細に説明する。
【００１７】
（実施の形態１）
本発明の実施の形態１は、本発明の基本的態様の一例である。
【００１８】
図１は、本実施の形態に係る振動制御装置の構成の一例を示すブロック図である。
【００１９】
図１に示す振動制御装置３００は、タッチ操作に同期して振動するタッチパネルと、タッチパネルとは別の振動源と、を備えた電子機器に対して用いられる装置である。図１において、振動制御装置３００は、卓越周波数取得部３２０、協和音判定部３３０、および振動周波数設定部３４０を有する。
【００２０】
卓越周波数取得部３２０は、振動源の振動周波数を取得し、取得した振動周波数を、振動源の振動の卓越周波数とする。なお、振動の卓越周波数とは、当該振動に起因して発生した音を聞いた人に、当該音の主成分として認識される音の周波数である。
【００２１】
協和音判定部３３０は、取得された卓越周波数の音と協和する音の周波数である協和音周波数を判定する。
【００２２】
振動周波数設定部３４０は、タッチパネルの振動の周波数を、判定された協和音周波数に設定する。
【００２３】
振動制御装置３００は、図示しないが、例えば、ＣＰＵ（central processing unit）、制御プログラムおよび各種データを格納したＲＯＭ（read only memory）等の記憶媒体、およびＲＡＭ（random access memory）等の作業用メモリを有する。この場合、上記した各部の機能は、ＣＰＵが制御プログラムを実行することにより実現される。
【００２４】
協和音は、協和音を構成する個々の音のみに比べて、聞く人に与える不快感を低減する。したがって、パネル振動音が別の音と協和の関係にあれば、パネル振動音が操作者や周囲の人に与える不快感は、低減される。また、協和音は、無音の場合に比べて、聞く人に対して心地良さを与え得る。
【００２５】
一方で、振動源を備えた電子機器では、装置振動音が発生することがある。
【００２６】
そこで、本実施の形態に係る振動制御装置３００は、上述の通り、装置振動音の卓越周波数を取得し、パネル振動音が卓越周波数の音と協和する音となるように、パネル振動の周波数を設定する。
【００２７】
これにより、本実施の形態に係る振動制御装置３００は、パネル振動の周波数を可聴域に留めたままで、かつ、他の高周波数の音を出力することなく、パネル振動音が人に与える不快感を低減することができる。すなわち、本実施の形態に係る振動制御装置３００は、タッチ操作に同期して振動するタッチパネルの使用において、不快感の低減と操作感の維持とを両立させることができる。
【００２８】
また、本実施の形態に係る振動制御装置３００は、上述の特許文献２に記載の技術に比べて、パネル振動に用いることができる帯域の範囲を広げることができる。つまり、本実施の形態に係る振動制御装置３００は、パネル振動に用いることができる帯域の範囲が広いほど、操作者に対して伝えることができる触覚の種類の範囲も広くなる。したがって、本実施の形態に係る振動制御装置３００は、例えば、複数の操作内容に対して、操作者が違いを認識することが可能な異なる周波数の振動を設定することが可能となる。
【００２９】
また、本実施の形態に係る振動制御装置３００は、高周波数の音を別途出力する必要がないため、上述の特許文献３に記載の技術に比べて、消費電力の増大を抑えることができる。
【００３０】
（実施の形態２）
本発明の実施の形態２は、本発明を電子機器に適用した場合の、本発明の具体的態様の一例である。
【００３１】
＜電子機器の構成＞
図２は、本実施の形態に係る振動制御装置を含む電子機器の構成の一例を示すブロック図である。
【００３２】
図２において、電子機器１００は、ディスプレイ２１０、タッチパネル２２０、振動素子２３０、ディスプレイ制御部２４０、タッチパネル検出部２５０、振動素子制御部２６０、回転ファン２７０、回転数制御部２８０、および振動制御装置３００を有する。
【００３３】
ディスプレイ２１０は、後述のディスプレイ制御部２４０から入力される画像データに基づいて、画像を表示する。ディスプレイ２１０の具体例としては、ＬＣＤ（Liquid Crystal Display）、有機ＥＬ（Electro Luminescence）ディスプレイ、およびＬＥＤ（Light Emitting Diode）ディスプレイ等が挙げられる。
【００３４】
タッチパネル２２０は、ディスプレイ２１０の表面に配置され、タッチ操作（押下入力）を受け付ける。そして、タッチパネル２２０は、タッチ操作が行われる毎に、タッチ操作の位置を示す操作信号を、後述のタッチパネル検出部２５０へ出力する。操作信号は、例えば、タッチパネル２２０のＸ軸の電圧値およびＹ軸の電圧値を示す信号である。タッチパネル２２０の具体例としては、フィルムとプラスチックで構成される抵抗膜方式のタッチパネル等が挙げられる。
【００３５】
振動素子２３０は、ディスプレイ２１０の裏面に配置され、後述の振動素子制御部２６０から入力される振動制御信号に基づいて、振動を発生させる。振動素子２３０が発生させる振動の周波数は、少なくとも後述の周波数範囲において、可変であるものとする。振動素子２３０の具体例としては、ピエゾ・アクチュエータ方式の振動素子、リニア共振アクチュエータ（LRA: Linear Resonant Actuator）、およびバイブレータ等が挙げられる。
【００３６】
ディスプレイ制御部２４０は、ディスプレイ２１０に表示される画像の表示制御を行う。具体的には、ディスプレイ制御部２４０は、ディスプレイ２１０に表示されるべき画像の画像データを生成し、生成した画像データを、ディスプレイ２１０へ出力する。また、ディスプレイ制御部２４０は、上記画像においてタッチ操作により入力可能な操作内容を示す操作対象情報を、振動制御装置３００へ出力する。
【００３７】
本実施の形態において、ディスプレイ制御部２４０は、複数のボタンが配置された画像を、ディスプレイ２１０に表示させる。そして、ディスプレイ２１０は、上記操作対象情報として、座標範囲情報および振動要否情報を、振動制御装置３００へ出力する。座標範囲情報は、各ボタンのディスプレイ制御部２４０において表示される位置（以下「表示位置」という）を示す情報である。振動要否情報は、各ボタンが操作時に振動によるフィードバックを要するボタン（以下「要振動ボタン」という）か否かを示す情報である。
【００３８】
なお、振動制御装置３００は、入力された座標範囲情報および振動要否情報を、振動制御装置３００の各部から参照可能なメモリに格納する。
【００３９】
タッチパネル検出部２５０は、タッチパネル２２０から入力される操作信号に基づいて、タッチパネル２２０に対して行われたタッチ操作（以下、単に「タッチ操作」という）の、タッチパネル２２０における位置の検出を行う。例えば、タッチパネル検出部２５０は、操作信号をデジタル値へと変換し、タッチパネル２２０におけるＸ座標とＹ座標を得る。
【００４０】
なお、本実施の形態において、タッチパネル２２０上の位置とディスプレイ２１０上の位置との対応関係は、予めタッチパネル検出部２５０に設定されている。タッチパネル検出部２５０は、この対応関係に基づいて、タッチ操作のディスプレイ２１０における位置を検出する。そして、タッチパネル検出部２５０は、タッチ操作のディスプレイ２１０における位置を示す情報（以下「操作位置情報」という）を、振動制御装置３００へ出力する。
【００４１】
振動素子制御部２６０は、後述の振動制御装置３００から入力される振動指示信号に基づいて、タッチ操作に同期して振動素子２３０を振動させる。すなわち、振動素子制御部２６０は、上述の振動素子２３０と共に本発明の振動発生部を構成し、タッチ操作に同期してタッチパネル２２０に振動を発生させる。また、振動素子制御部２６０は、上記振動指示信号に基づいて、当該振動の周波数を制御する。
【００４２】
回転ファン２７０は、例えば、後述のＣＰＵを冷却するためのファンであり、後述の回転数制御部２８０から入力される回転制御信号に基づいて、回転する。なお、回転ファン２７０は、回転する際に、回転周波数と等しい周波数で、回転音を発生させるものとする。また、回転ファン２７０は、インバータ方式の回転モータにより駆動される。すなわち、回転ファン２７０の回転周波数（つまりモータの回転周波数）は、可変であるものとする。
【００４３】
回転数制御部２８０は、例えば、ＣＰＵ周辺の温度やＣＰＵの稼働状態に応じて、回転ファン２７０の回転数（あるいは回転周波数）を制御する。本実施の形態では、回転ファン２７０の動作モードとして、予め定められた高い回転数で回転する高速回転モードと、予め定められた低い回転数で回転する低速回転モードと、回転しない回転停止モードとが存在するものとする。
【００４４】
すなわち、回転数制御部２８０は、回転ファン２７０と共に本発明の振動源を構成し、予め定められた異なる周波数で振動する複数の動作モードを切り替えて動作する。また、回転数制御部２８０は、現在の動作モードを示す情報を、振動制御装置３００に対して通知する。なお、この際に、回転数制御部２８０は、当該動作モードを示す情報として、回転ファン２７０の回転周波数を通知してもよい。
【００４５】
振動制御装置３００は、周波数範囲設定部３１０、卓越周波数取得部３２０、協和音判定部３３０、および振動周波数設定部３４０を有する。
【００４６】
周波数範囲設定部３１０は、タッチ操作により入力可能な操作内容を取得し、取得した操作内容に対して、周波数範囲および周波数デフォルト値を設定する。但し、周波数範囲設定部３１０は、複数の操作内容が存在するとき、当該複数の操作内容に対して、異なる周波数範囲および異なる周波数デフォルト値を設定する。また、周波数範囲設定部３１０は、電子機器の他の機能に悪影響を及ぼさない範囲で、タッチ操作の操作感が十分に得られるような振動の周波数帯域（例えば、５０Ｈｚ〜４００Ｈｚ）から、周波数範囲を設定する。
【００４７】
これら周波数範囲および周波数デフォルト値は、後述の協和音判定部３３０により、振動素子２３０の振動の周波数を決定する際に用いられる。
【００４８】
本実施の形態において、周波数範囲設定部３１０は、ディスプレイ制御部２４０から入力された操作対象情報（座標範囲情報および振動要否情報）から、要振動ボタンの表示位置を取得する。そして、周波数範囲設定部３１０は、要振動ボタン毎に、周波数範囲および周波数デフォルト値を設定する。すなわち、本実施の形態において、「タッチ操作により入力可能な操作内容」とは、個々の要振動ボタンに対応する。
【００４９】
そして、周波数範囲設定部３１０は、要振動ボタン毎に設定した、周波数範囲および周波数デフォルト値を示す情報（以下「領域別周波数情報」という）を、振動制御装置３００の各装置部から参照可能なメモリに格納する。
【００５０】
卓越周波数取得部３２０は、振動源が発生させる振動の卓越周波数を取得する。本実施の形態において、振動源が発生させる振動の卓越周波数は、回転ファン２７０の回転周波数に一致している。したがって、卓越周波数取得部３２０は、回転数制御部２８０から通知された情報に基づき、回転ファン２７０の回転周波数を、卓越周波数として取得する。そして、卓越周波数取得部３２０は、取得した卓越周波数を、協和音判定部３３０へ通知する。なお、電子機器１００は、振動源である回転ファン２７０の近傍位置あるいは他の位置に、電子機器１００の振動を検出する振動センサを有してもよい。この場合、卓越周波数取得部３２０は、この振動センサの振動データから、回転ファン２７０の回転周波数を取得してもよい。
【００５１】
協和音判定部３３０は、卓越周波数取得部３２０から通知された卓越周波数に基づいて、取得された卓越周波数の音と協和する音の周波数（以下「協和音周波数」という）を判定する。そして、協和音判定部３３０は、判定した協和音周波数を、振動周波数設定部３４０へ通知する。
【００５２】
振動周波数設定部３４０は、タッチ操作が行われる毎に、そのタッチ操作の操作内容に対して予め設定された周波数範囲および周波数デフォルト値を取得する。振動周波数設定部３４０は、これら周波数範囲および周波数デフォルト値の取得を、タッチパネル検出部２５０から入力される操作信号と、周波数範囲設定部３１０が生成した領域別周波数情報とに基づいて行う。
【００５３】
そして、振動周波数設定部３４０は、取得した（予め設定された）周波数範囲に、協和音判定部３３０から通知された協和音周波数が含まれるか否かを判断する。振動周波数設定部３４０は、当該周波数範囲に当該協和音周波数が含まれるとき、パネル振動の周波数を当該協和音周波数に決定する。また、振動周波数設定部３４０は、当該周波数範囲に当該協和音周波数が含まれないとき、パネル振動の周波数を当該周波数デフォルト値に決定する。
【００５４】
そして、振動周波数設定部３４０は、決定した周波数で振動素子２３０を所定時間振動させることを指示する振動指示信号を生成し、生成した振動指示信号を、振動素子制御部２６０へ出力する。すなわち、振動周波数設定部３４０は、振動素子制御部２６０および振動素子２３０を介して、タッチパネル２２０を、装置振動音の卓越周波数の音と協和する周波数で、タッチ操作に同期して振動させる。
【００５５】
電子機器１００は、図示しないが、例えば、ＣＰＵ、制御プログラムおよび各種データを格納したＲＯＭ等の記憶媒体、およびＲＡＭ等の作業用メモリを有する。この場合、上記した各部の機能は、ＣＰＵが制御プログラムを実行することにより実現される。
【００５６】
このような構成を有する電子機器１００は、複数のボタンを含む画面を表示し、ボタンに対するタッチ操作を受け付け、そのタッチ操作に同期して、タッチパネル２２０を振動させることができる。また、電子機器１００は、パネル振動音が、装置振動音の卓越周波数の音と協和する音となるように、パネル振動の周波数を設定することができる。更に、電子機器１００は、ボタン毎に周波数範囲および周波数デフォルト値を設定することにより、ボタン毎に異なる周波数で、パネル振動を発生させることができる。
【００５７】
ここで、パネル振動音、卓越周波数、および協和音について説明する。
【００５８】
＜パネル振動音についての説明＞
図３は、タッチパネル２２０の構成の一例を模式的に示す図である。
【００５９】
図３に示すように、タッチパネル２２０は、支持基板２２１と可動板２２２との間に、第１の駆動電極２２３、第２の駆動電極２２４、およびＹ印加側引き出し電極２２５を有する圧電素子２２６を配置している。可動板２２２には、圧電素子２２６毎に、第２の駆動電極２２４に接続する第１のリード線２２７と、第２の駆動電極２２４に接続する第２のリード線２２８とが配線されている。
【００６０】
図２に示す振動素子２３０で発生した振動は、タッチパネル２２０の可動板２２２に伝搬し、タッチ操作を行っている人の指に伝達する。ところが、この可動板２２２は、その振動により、可動板２２２が面音源となり、上述のパネル振動音が発生する。
【００６１】
図４は、タッチパネル２２０の振動波形の一例を示す波形図である。図４において、縦軸は振幅［μｍ］を示し、横軸は時間［ｍｓｅｃ］を示す。
【００６２】
図４に示すように、タッチパネル２２０は、例えば、振幅１０［μｍ］、周期２.５［ｍｓｅｃ］（つまり、周波数４００Ｈｚ）の正弦波４１１にて、振動する。この場合、タッチパネル２２０は、当該振動周波数と同一の周波数である４００Ｈｚのパネル振動音を発生させる。このようなパネル振動音は、人の可聴域の音であり、上述の通り、操作者や周囲の人に対して不快感を与えるおそれがある。
【００６３】
そこで、本実施の形態に係る電子機器１００は、上述の通り、パネル振動音と装置振動音の卓越周波数の音とが協和音を構成するように、パネル振動の周波数を設定する。
【００６４】
＜卓越周波数についての説明＞
本実施の形態において、卓越周波数とは、上述の通り、装置振動音を聞いた人に当該音の主成分として認識される音の周波数であり、振動装置の振動周波数に一致する周波数である。
【００６５】
図２に示す卓越周波数取得部３２０は、動作モード毎に対応する回転周波数を記述したテーブル（以下「周波数テーブル」という）を予め保持していてもよい。
【００６６】
＜周波数テーブル＞
図５は、周波数テーブルの一例を示す図である。
【００６７】
図５に示すように、周波数テーブル４３０は、動作モード４３１に対応付けて、回転周波数４３２を記述している。
【００６８】
周波数テーブル４３０には、例えば、「高速回転モード」という動作モード４３１に対応付けて、「１００Ｈｚ」という回転周波数４３２が記述されている。これは、高速回転モードで動作しているとき、装置振動音の卓越周波数は１００Ｈｚであり、１００Ｈｚの音が装置振動音の主成分として認識される可能性が高いことを示す。
【００６９】
卓越周波数取得部３２０は、このような周波数テーブル４３０を用いることにより、回転数制御部２８０から回転周波数の値を通知されない場合でも、動作モードに基づいて、卓越周波数を取得することができる。
【００７０】
＜協和音についての説明＞
協和音とは、完全１度の周波数比、短３度の周波数比、長３度の周波数比、完全４度の周波数比、および完全８度の周波数比のいずれかとなるような、複数の音の組み合わせである。また、協和音を構成する音を、Ｎオクターブ違い（Ｎは自然数）の音の音に入れ替えた場合でも、協和音が構成される。すなわち、協和音は、上述の周波数比に２の整数乗を乗じまたは除して得られる周波数比も、協和音の周波数比である。
【００７１】
すなわち、音響学的に協和音とは、６以下の２つの自然数の商に等しい周波数比、当該周波数比に２の整数乗を乗じた周波数比、および、６以下の２つの自然数の商に等しい周波数比に２の整数乗で除した周波数比を有する複数の音をいう。但し、このような協和音は、それぞれ固有の許容範囲を有する。本実施の形態において、協和音とは、特に、上述の協和音のうち、当該許容範囲を満たす複数の音の組み合わせを指すものとする。
【００７２】
例えば、ピアノで「ド」の鍵盤を押したときに、受聴者が「ド」の音として聞こえる場合には、この音の周波数は、協和音の周波数比を構成する。なお、「協和音の周波数比」とは、周波数比を平均律の音程に置き換えたときに協和する音程とみなされる周波数比、すなわち、受聴者が協和音として許容可能な周波数比の範囲をいう。
【００７３】
なお、ピアノで「ド」の鍵盤を押したときに、ピアノの調律が悪くて本来の「ド」の音からは少しずれていても、受聴者には「ド」の音として聞こえる場合がある。また、弦楽器や人の発声で「ド」の高さの音を奏でたときに、ビブラートがかかって本来の「ド」の音のから少し上下した場合に、受聴者には「ド」の音として聞こえる場合がある。本実施の形態においては、このようなずれは許容範囲であり、このような音の周波数は、協和音の周波数比を構成する。
【００７４】
一方で、ピアノの調律が悪く、ピアノで「ド」の鍵盤を押したときに、別の高さの音として聞こえる場合がある。例えば、「ドのシャープ」や「レ」または「シ」、「シ♭」の音として聞こえた場合である。このようなずれは、許容範囲外である。
【００７５】
なお、このような協和音における周波数比と許容範囲との関係は音響学の当業者には周知であるため（例えば非特許文献１参照）、ここでの詳細な説明を割愛する。
【００７６】
また、本実施の形態における「協和音の周波数比」は、上述の通り、１オクターブ内に限られるものではなく、楽器音響学における任意の協和音およびその許容範囲をすべて包含する。
【００７７】
例えば、ピアノで「ド」の鍵盤と、「ソ」の鍵盤とを、同時に押した場合は、完全５度の協和音が発せられるが、ピアノで「ド」の鍵盤と、１オクターブ上の「ソ」の鍵盤を押した場合も、協和音の範囲内である。更に、ピアノで「ド」の鍵盤と、２オクターブ上の「ソ」の鍵盤が押された場合も、同様に協和音の範囲である。
【００７８】
協和音は、協和音を構成する個々の音のみに比べて、聞く人に与える不快感を低減する。更に、協和音は、無音の場合に比べて、聞く人に対して心地良さを与え得る。なお、協和音は、オクターブ違い音をタッチパネル２２０の振動周波数の候補に含める場合、広範囲の帯域から得ることができるが、１オクターブに収まっているほうが、通常、聞く人に与える心地良さは高い。
【００７９】
図２に示す協和音判定部３３０は、上述の協和音を形成し得る周波数比（以下「協和音の周波数比」という）を記述した協和音周波数比リストに基づいて、上述の協和音周波数を判定する。協和音判定部３３０は、例えば、予め協和音周波数比リストを記憶している。
【００８０】
＜協和音周波数比リスト＞
図６は、協和音周波数比リストの一例を示す図である。
【００８１】
図６において、協和音周波数比リスト４４０は、ある２音が協和音をなす際の、２つの音の周波数の比をリストにしたものである。図６に示すように、協和音周波数比リスト４４０は、リストの項目として、協和音の度数４４１毎に、度数４４１に対応する周波数比４４２を記述している。協和音周波数比リスト４４０において、度数４４１の記述は必ずしも必要ではない。
【００８２】
但し、協和音周波数比リスト４４０は、協和音をなす周波数比のうち、調波の周波数比とは異なる周波数比を、少なくとも１つ記述しているものとする。なお、調波をなす周波数比とは、周波数比１：ｎ（ｎは２の整数乗）である。
【００８３】
なお、周波数比４４２は、図６に示すように整数比形式で記述されてもよいし、少数形式や分数形式等、他の形式で記述されていてもよい。
【００８４】
本実施の形態では、このような協和音周波数比リスト４４０を参照し、卓越周波数に協和音の周波数比４４２を乗じる演算を各度数４４１について行うことにより、上述の協和音周波数を高速かつ容易に判定することができる。
【００８５】
なお、協和音判定部３３０は、判定した協和音のオクターブ違いの周波数を、２のＮ乗を協和音の周波数に乗じることにより求めてもよいし、Ｎビットの左シフト演算により求めてもよい。
【００８６】
＜各種情報の具体例＞
次に、振動制御装置３００の動作に先立って、表示画面の一例、座標範囲情報の一例、振動要否情報の一例、領域別周波数情報の一例について説明する。
【００８７】
＜表示画像＞
図７は、ディスプレイ２１０に表示される画像の一例を示す平面図である。
【００８８】
図７に示すように、ディスプレイ２１０には、例えば、メニュー５１０が表示される。メニュー画面５１０は、「Ｍａｉｌ」と記載された第１の操作ボタン５１１、「Ｗｅｂ」と記載された第２の操作ボタン５１２、および「ＳＮＳ」と記載された第３の操作ボタン５１３を備えている。また、メニュー画面５１０は、「Ｃａｍｅｒａ」と記載された第４の操作ボタン５１４、「Ｍｕｓｉｃ」と記載された第５の操作ボタン５１５、「Ｍｅｍｏ」と記載された第６の操作ボタン５１６、および「Ｃａｎｃｅｌ」と記載された第７の操作ボタン５１７を備えている。
【００８９】
ディスプレイ２１０の表面には、上述の通り、タッチパネル２２０（図２参照）が配置されている。操作者は、タッチパネル２２０（図２参照）のうち、第１〜第７の操作ボタン５１１〜５１７の任意のボタンに対応する領域をタッチする（押下する）ことにより、当該任意のボタンに対してタッチ操作を行うことができる。
【００９０】
例えば、操作者は、メールアプリを起動したい場合、第１の操作ボタン５１１をタッチし、Ｗｅｂアプリを起動したい場合、第２の操作ボタン５１２を押下する。各ボタンはそれぞれ異なる目的の処理に対応付けられているが、ここでは説明を割愛する。
【００９１】
＜座標範囲情報＞
図８は、図７に示す表示画像に対応して生成される座標範囲情報の一例を示す図である。座標範囲情報は、上述の通り、ディスプレイ制御部２４０により生成される情報であり、各ボタンの表示位置を示す情報である。
【００９２】
図８に示すように、座標範囲情報５２０は、領域識別子５２１に対応付けて、Ｘ座標の最小値５２２、Ｙ座標の最小値５２３、Ｘ座標の最大値５２４、およびＹ座標の最大値５２５を記述している。領域識別子５２１は、ディスプレイ２１０に表示される操作部品（ここでは第１〜第７の操作ボタン５１１〜５１７）を識別する情報である。座標値を示す値５２２〜５２５は、操作部品が表示される領域の、ディスプレイ２１０上での座標範囲を示す。
【００９３】
なお、座標範囲情報５２０における座標範囲の記述の仕方は、上述の例に限定されない。例えば、円形の操作ボタンの座標範囲は、中心点のＸ座標およびＹ座標と半径とにより記述することができる。また、より複雑な形状の操作ボタン座標範囲は、複数の点を結ぶ曲線を表現するデータ構造により記述することができる。また、座標範囲は、Ｚ座標を含むものであってもよい。これにより、例えば、Ｘ座標とＹ座標が所定の範囲に収まった上で指の押圧が所定の値を上回ることを、押下されたと判断する際の条件として用いることが可能となる。
【００９４】
＜振動要否情報＞
図９は、振動要否情報の一例を示す図である。振動要否情報は、上述の通り、ディスプレイ制御部２４０により生成される情報であり、各ボタンが要振動ボタンか否かを示す情報である。
【００９５】
図９に示すように、振動要否情報５３０は、領域識別子５３１（図８の領域識別子５２１と対応）に対応づけて、振動要否５３２を記述している。振動要否５３２は、要振動ボタンであるか否かを示す。
【００９６】
ここでは、第１〜第６の操作ボタン５１１〜５１６の領域識別子５３１に対応付けて、「ＹＥＳ」という振動要否５３２が記述されている。そして、第７の操作ボタン５１７の領域識別子５３１に対応付けて、「ＮＯ」という振動要否５３２が記述されている。これは、第１〜第６の操作ボタン５１１〜５１６が要振動ボタンであり、第７の操作ボタン５１７が要振動ボタンではないことを示す。
【００９７】
周波数範囲設定部３１０は、これら座標範囲情報５２０および振動要否情報５３０に基づき、操作ボタンのそれぞれについて、周波数範囲および周波数デフォルト値を設定する。そして、周波数範囲設定部３１０は、設定内容を示す領域別周波数情報を、振動周波数設定部３４０に通知する。
【００９８】
＜領域別周波数情報＞
図１０は、領域別周波数情報の一例を示す図である。領域別周波数情報は、上述の通り、周波数範囲設定部３１０により生成される情報であり、各要振動ボタンの周波数範囲および周波数デフォルト値を示す情報である。
【００９９】
図１０に示すように、領域別周波数情報５４０は、領域識別子５４１（図８の領域識別子５２１と対応）に対応づけて、周波数デフォルト値５４２および誤差許容範囲５４３を記述している。周波数デフォルト値５４２に誤差許容範囲５４３を適用して得られる範囲は、上述の周波数範囲である。
【０１００】
例えば、第１の操作ボタン５１１の領域識別子５４１に対応付けて、「１４０Ｈｚ」という周波数デフォルト値５４２と、「±１５％」という誤差許容範囲５４３とが記述されている。これは、周波数範囲が、１１９Ｈｚ〜１６１Ｈｚであることを示す。また、周波数デフォルト値５４２が、周波数範囲の中央値であることを示す。
【０１０１】
また、第７の操作ボタン５１７の領域識別子５４１に対応付けて、「０Ｈｚ」という周波数デフォルト値５４２と、「０％」という誤差許容範囲５４３とが記述されている。これは、実質的に、周波数デフォルト値および周波数範囲を設定していないことを示す。これは、第７の操作ボタン５１７が、要振動ボタンではないためである。
【０１０２】
振動制御装置３００には、このような領域別周波数情報５４０と、上述の座標範囲情報５２０（図８参照）および振動要否情報５３０（図９参照）とが、振動制御装置３００には記憶される。これにより、振動制御装置３００は、いずれかの操作ボタンに対してタッチ操作が行われたときに、その操作ボタンに対応する周波数範囲を、高速かつ容易に特定することができる。
【０１０３】
なお、領域別周波数情報５４０における周波数範囲および周波数デフォルト値の記述の仕方は、上述の例に限定されない。例えば、周波数範囲および周波数デフォルト値は、周波数範囲の最小値および最大値と、周波数デフォルト値を周波数範囲の中央値とする旨とにより、記述することができる。
【０１０４】
＜振動制御装置の動作＞
次に、タッチパネル入力装置１００の動作のうち、振動制御装置３００の動作について説明する。
【０１０５】
振動制御装置３００は、例えば、ディスプレイ制御部２４０から新たな画像についての操作対象情報を入力される毎に、以下に説明する動作を開始する。この時点で、ディスプレイ２１０には、例えば、メニュー５１０（図７）が表示されている。
【０１０６】
図１１は、振動制御装置の動作の一例を示すフローチャートである。
【０１０７】
まず、ステップＳ１１００において、周波数範囲設定部３１０は、例えば、操作ボタンに対応した操作内容毎に、周波数デフォルト値および周波数範囲を設定する。周波数範囲設定部３１０は、ディスプレイ制御部２４０から入力された操作対象情報に基づき、かかる設定を行う。操作対象情報は、表示画像毎に生成され、座標範囲情報５２０および振動要否情報５３０（図８および図９参照）を含む。
【０１０８】
図１１のステップＳ１２００において、卓越周波数取得部３２０は、回転数制御部２８０から通知される動作モードを取得する。この動作モードの取得は、回転数制御部２８０からの定期的な通知により行われてもよいし、卓越周波数取得部３２０からの問い合わせにより行われてもよい。
【０１０９】
そして、ステップＳ１３００において、卓越周波数取得部３２０は、取得した動作モードから、振動源において振動動作が行われているか否かを判断する。具体的には、卓越周波数取得部３２０は、取得した動作モードが、高速回転モードあるいは低速回転モードであるか否かを判断する。
【０１１０】
卓越周波数取得部３２０は、振動動作が行われている場合(Ｓ１３００：ＹＥＳ)、ステップＳ１４００へ進む。また、卓越周波数取得部３２０は、振動動作が行われている場合(Ｓ１３００：ＮＯ)、後述のステップＳ１５００へ進む。
【０１１１】
なお、卓越周波数取得部３２０は、処理の開始時および動作モードの切り替えがあったときにのみ、ステップＳ１２００〜Ｓ１４００の処理を行うようにしてもよい。
【０１１２】
ステップＳ１４００において、卓越周波数取得部３２０は、卓越周波数取得処理を行う。卓越周波数取得処理は、装置振動音の卓越周波数を取得する処理である。なお、卓越周波数取得処理の説明は、後述する。
【０１１３】
ステップＳ１５００において、振動周波数設定部３４０は、操作時に振動によるフィードバックを要する操作（以下「要振動操作」という）が行われたか否かを判断する。
【０１１４】
本実施の形態では、要振動ボタンに対するタッチ操作が行われたか否かを判断する。
【０１１５】
具体的には、振動周波数設定部３４０は、タッチパネル検出部２５０からの操作位置情報と、ディスプレイ制御部２４０からの座標範囲情報５２０（図８参照）および振動要否情報５３０（図９参照）とに基づいて、かかる判断を行う。
【０１１６】
すなわち、振動周波数設定部３４０は、タッチ操作の位置が、いずれかの操作ボタンの座標範囲に含まれるか否かを判定し、含まれる場合、該当する操作ボタンに対してタッチ操作が行われたと判断する。そして、振動周波数設定部３４０は、該当するタッチ操作が行われた操作ボタンが、要振動ボタンであるか否かを判定する。
【０１１７】
振動周波数設定部３４０は、要振動操作が行われた場合（Ｓ１５００：ＹＥＳ）、ステップＳ１６００へ進む。また、振動周波数設定部３４０は、要振動操作が行われていない場合（Ｓ１５００：ＮＯ）、後述のステップＳ２１００へ進む。
【０１１８】
ステップＳ１６００において、振動周波数設定部３４０は、振動動作部において振動動作が行われているか否かを判断する。
【０１１９】
振動周波数設定部３４０は、例えば、振動周波数候補群を通知されたか否かにより、振動動作が行われているか否かを判断することができる。また、卓越周波数取得部３２０が、卓越周波数の有無を示すフラグを生成する場合、振動周波数設定部３４０は、このフラグから、振動動作が行われているか否かを判断することができる。
【０１２０】
振動周波数設定部３４０は、振動動作が行われている場合（Ｓ１６００：ＹＥＳ）、ステップＳ１７００へ進む。また、振動周波数設定部３４０は、振動動作が行われていない場合（Ｓ１６００：ＮＯ）、後述のステップＳ１９００へ進む。
【０１２１】
ステップＳ１７００において、振動周波数設定部３４０は、行われた操作の操作内容に対して設定された周波数範囲に、いずれかの振動周波数候補が含まれるか否かを判断する。
【０１２２】
具体的には、振動周波数設定部３４０は、周波数範囲設定部３１０から通知された領域別周波数情報５４０（図１０参照）から、タッチ操作が行われた操作ボタンについての周波数範囲および周波数デフォルト値を取得する。そして、振動周波数設定部３４０は、協和音判定部３３０から通知された振動周波数候補群４６０（図１４参照）に記述された振動周波数候補に、取得した周波数範囲に含まれるものが存在するか否かを判断する。
【０１２３】
振動周波数設定部３４０は、周波数範囲に振動周波数候補が含まれる場合（Ｓ１７００：ＹＥＳ）、ステップＳ１８００へ進む。また、振動周波数設定部３４０は、周波数範囲に振動周波数候補が含まれていない場合（Ｓ１７００：ＮＯ）、後述のステップＳ１９００へ進む。
【０１２４】
ステップＳ１８００において、振動周波数設定部３４０は、周波数範囲に含まれる振動周波数候補が１つである場合、当該振動周波数候補を、タッチパネル２２０の振動周波数に決定する。また、振動周波数設定部３４０は、周波数範囲に含まれる振動周波数候補が複数である場合、周波数デフォルト値により近い振動周波数候補を、タッチパネル２２０の振動周波数に決定する。
【０１２５】
タッチパネル２２０の振動周波数は、卓越周波数の変化（つまり動作モードの変化）により、設定された周波数範囲において変化し得る。周波数デフォルト値により近い振動周波数候補を決定することにより、操作ボタンの振動周波数の大きな変化をできるだけ回避することができ、操作者に与える違和感を低減することができる。
【０１２６】
一方、図１１のステップＳ１９００において、振動周波数設定部３４０は、周波数デフォルト値を、タッチパネル２２０の振動周波数に決定する。これは、振動動作が行われていないか、タッチ操作が行われた操作ボタンに設定された周波数範囲には協和音が存在しないためである。
【０１２７】
例えば、第５の操作ボタン５１５（図７参照）に対するタッチ操作が行われた場合、周波数範囲は、８００Ｈｚの±１５％の範囲、つまり、６８０Ｈｚ〜９２０Ｈｚの範囲である。かかる周波数範囲に含まれる振動周波数候補は、存在しない。したがって、振動周波数設定部３４０は、第５の操作ボタン５１５に設定された周波数デフォルト値である８００Ｈｚを、タッチパネル２２０の振動周波数に決定する。
【０１２８】
なお、振動周波数設定部３４０は、操作ボタンに設定された周波数範囲で振動させることよりも、協和音となる周波数で振動させることを優先してもよい。この場合、例えば、振動周波数設定部３４０は、周波数範囲を無視し、周波数デフォルト値に最も近い協和音を、タッチパネル２２０の振動周波数に決定すればよい。
【０１２９】
そして、ステップＳ２０００において、振動周波数設定部３４０は、タッチパネル２２０を、決定した振動周波数で振動させる。具体的には、振動周波数設定部３４０は、決定した振動周波数で振動素子２３０を所定時間振動させることを指示する振動指示信号を、生成する。そして、振動周波数設定部３４０は、生成した振動指示信号を、振動素子制御部２６０へ出力する。
【０１３０】
そして、ステップＳ２１００において、卓越周波数取得部３２０は、同一の表示画面についての処理を終了するタイミングであるか否かを判断する。同一の表示画面についての処理とは、つまり、ステップＳ１１００で生成された領域別周波数情報５４０（図１０参照）をそのまま用いて振動周波数を決定する処理である。
【０１３１】
卓越周波数取得部３２０は、同一の表示画面が維持されているなど、同一の表示画面についての処理を終了するタイミングではない場合（Ｓ２１００：ＮＯ）、ステップＳ１２００へ戻る。また、卓越周波数取得部３２０は、表示画面が切り替わるタイミング、あるいは、画面表示が終了するタイミングなど、同一の表示画面についての処理を終了するタイミングである場合（Ｓ２１００：ＹＥＳ）、一連の処理を終了する。なお、表示画面が、タッチ操作を受け付ける別の画面に切り替わった場合、振動制御装置３００は、ステップＳ１１００から処理を開始することになる。
【０１３２】
＜卓越周波数取得処理＞
図１２は、卓越周波数取得処理の一例を示すフローチャートである。
【０１３３】
まず、ステップＳ１４１０において、卓越周波数取得部３２０は、回転ファン２７０の回転周波数を、卓越周波数として取得する。具体的には、例えば、卓越周波数取得部３２０は、周波数テーブル４３０（図５参照）を参照して、取得した動作モードに対応する回転周波数を、卓越周波数として取得する。
【０１３４】
そして、ステップＳ１４２０において、協和音判定部３３０は、卓越周波数の音と協和する音の周波数を、タッチパネル２２０の振動周波数の候補（以下「振動周波数候補」という）に決定して、図１１の処理へ戻る。
【０１３５】
＜装置振動音の周波数スペクトル＞
図１３は、装置振動音の周波数スペクトルの一例を示す図である。図１３において、横軸は周波数［Ｈｚ］を示し、縦軸は音圧レベル（音の強さ）［ｄＢ］を示す。なお、ここでは、動作モードが高速回転モード（回転周波数１００Ｈｚ）である場合の例を示す。
【０１３６】
回転ファン２７０が１００Ｈｚの回転周波数で回転している場合、図１３に示すように、装置振動音の周波数スペクトル曲線５５１は、１００Ｈｚ付近で卓越（突出）し、６５ｄＢの値となる。このような他の周波数に比べて音圧レベルが突出している周波数の音(卓越音)は、人に聞こえ易い。
【０１３７】
具体的には、協和音判定部３３０は、図６に示す協和音周波数比リストに記述された各周波数比４４２、および、各周波数比４４２の逆数を、それぞれ、卓越周波数に乗じる。そして、協和音判定部３３０は、その算出結果を、振動周波数候補群として決定し、決定結果を、振動周波数設定部３４０に通知する。
【０１３８】
＜振動周波数候補群＞
図１４は、振動周波数候補群の一例を示す図である。ここでは、卓越周波数として１００Ｈｚが抽出された場合の例を示す。
【０１３９】
図１４に示すように、振動周波数候補群４６０には、例えば、「５０.０Ｈｚ」が含まれている。これは、１００Ｈｚに、完全８度の周波数比１／２を、乗じた結果である。また、振動周波数候補群４６０には、例えば、「２００.０Ｈｚ」が含まれている。これは、１００Ｈｚに、完全８度の周波数比１／２の逆数である２を、乗じた結果である。
【０１４０】
＜振動周波数の決定＞
図１５は、振動周波数の決定の様子の一例を示す模式図である。ここでは、第１の操作ボタン５１１（図７参照）に対するタッチ操作が行われた場合を示す。
【０１４１】
図１５に示すように、領域別周波数情報５４０（図１０参照）によると、第１の操作ボタン５１１に設定された周波数範囲は、１４０Ｈｚの±１５％の範囲、つまり、１１９Ｈｚ〜１６１Ｈｚの範囲である。かかる周波数範囲に含まれる振動周波数候補は、振動周波数候補群４６０（図１４参照）によると、９個存在する。そして、これら９個の振動周波数候補の中で、周波数デフォルト値である１４０Ｈｚに最も近いのは、「１３３.３Ｈｚ」である。
【０１４２】
したがって、振動周波数設定部３４０は、１３３.３Ｈｚを、タッチパネル２２０の振動周波数に決定する。
【０１４３】
なお、以上の説明において、他の装置部へ通知されると説明された各種情報は、かかる他の装置部から参照可能なメモリに格納されることにより、間接的に授受されるようにしてもよい。また、逆に、他の装置部から参照可能なメモリに格納されると説明された各種情報は、他の装置部へ直接的に通知されるようにしてもよい。
【０１４４】
＜まとめ＞
以上説明したように、本実施の形態に係る電子機器１００は、振動制御装置３００において、装置振動音の卓越周波数を取得し、パネル振動音が卓越周波数の音と協和する音となるように、タッチ操作の際のパネル振動の周波数を設定する。
【０１４５】
これにより、本実施の形態に係る電子機器１００は、タッチパネル２２０の振動周波数を、タッチ操作の操作感が十分に得られるような帯域に留めつつ、かつ、パネル振動音の耳障り感を軽減することができる。しかも、本実施の形態に係る電子機器１００は、高周波数の音を別途発生させる必要がない。すなわち、本実施の形態に係る電子機器１００は、タッチ操作に同期して振動するタッチパネルの使用において、不快感の低減と操作感の維持とを両立させることができる。
【０１４６】
なお、本発明の実施の形態２では、本発明を、振動源として回転ファン２７０および回転数制御部２８０を備えた電子機器１００に適用した例について説明したが、本発明の適用はこれに限定されない。例えば、本発明は、振動源として、コンプレッサおよびその回転数を制御する制御部を備える電子機器に適用することができる。また、本発明は、振動源として、スピーカなど、音の発生を目的とする装置およびその音程を制御する制御部を備える電子機器に適用するもとができる。
【０１４７】
また、本実施の形態では、振動源が複数存在し、これら複数の振動源が発生させる複数の振動の卓越周波数の音が、協和の関係にあるとする。これら複数の音の全てと協和する音が存在する場合、振動制御装置は、かかる音の周波数を、協和音周波数に設定することが望ましい。
【０１４８】
具体的には、例えば、振動制御装置は、１つの卓越周波数について協和音周波数候補群を求め、求められた候補群の中から、更に次の卓越周波数について協和音周波数候補群を絞る処理を行えばよい。あるいは、振動制御装置は、卓越周波数毎に協和音周波数候補群を求め、求められた協和音周波数候補群の中から、全ての卓越周波数について所定の誤差に収まるような協和音周波数候補を、協和音周波数に設定すればよい。また、振動制御装置は、これらの処理において、卓越音の音圧レベルや周波数帯域などに基づき、人の耳に聞こえ易い卓越周波数に協和する音を優先させて、協和音周波数候補の絞り込みを行うようにしてもよい。
【０１４９】
本開示の振動制御装置は、タッチ操作に同期して振動するタッチパネルと、前記タッチパネルとは別の振動源と、を備えた電子機器に対して用いられる振動制御装置であって、
前記振動源の振動周波数を取得し、取得した前記振動周波数を、前記振動源の振動の卓越周波数とする卓越周波数取得部と、取得された前記卓越周波数の音と協和する音の周波数である協和音周波数を判定する協和音判定部と、前記タッチパネルの振動の周波数を、判定された前記協和音周波数に設定する振動周波数設定部と、を有する。
【０１５０】
また、上記振動制御装置において、前記振動源は、予め定められた異なる周波数で振動する複数の動作モードを切り替えて動作し、前記卓越周波数取得部は、前記振動源が前記複数の動作モードのうちいずれの動作モードで動作しているかを判定し、判定された前記動作モードに対応する前記周波数を、前記振動源の振動周波数として取得してもよい。
【０１５１】
また、上記振動制御装置は、前記電子機器の振動を検出する振動センサ、を更に有し、前記卓越周波数取得部は、前記振動センサの振動データから、前記振動源の振動周波数を取得してもよい。
【０１５２】
また、上記振動制御装置において、前記振動源は、回転モータを含み、前記卓越周波数取得部は、前記回転モータの回転周波数を、前記卓越周波数としてもよい。
【０１５３】
また、上記振動制御装置において、前記振動周波数設定部は、予め設定された周波数範囲に前記協和音周波数が含まれるか否かを判断し、前記周波数範囲に前記協和音周波数が含まれるとき、前記振動の周波数を前記協和音周波数に設定し、前記周波数範囲に前記協和音周波数が含まれないとき、前記振動の周波数を前記周波数範囲に含まれる周波数であって予め設定された値である周波数デフォルト値に設定してもよい。
【０１５４】
また、上記振動制御装置において、前記周波数範囲は、前記振動を当該周波数範囲に設定したとき、前記タッチ操作の操作感が得られるような周波数範囲であってもよい。
【０１５５】
また、上記振動制御装置において、前記卓越周波数取得部は、前記振動源が動作しているか否かを判断し、前記振動周波数設定部は、前記振動源が動作していないとき、前記振動の周波数を前記周波数デフォルト値に設定してもよい。
【０１５６】
また、上記振動制御装置において、前記協和音判定部は、取得された前記卓越周波数に、協和音の間の周波数比を乗じて得られる値を、前記協和音周波数として判定してもよい。
【０１５７】
また、上記振動制御装置において、前記協和音の間の周波数比は、完全１度の周波数比、短３度の周波数比、長３度の周波数比、完全４度の周波数比、完全８度の周波数比、および、これらの周波数比に２の整数乗を乗じまたは除して得られる周波数比、のうち、少なくとも１つを含んでもよい。
【０１５８】
また、上記振動制御装置は、前記タッチ操作により入力可能な操作内容を取得し、取得した前記操作内容に対して、前記周波数範囲および前記周波数デフォルト値を設定する周波数範囲設定部、を更に有し、前記周波数範囲設定部は、複数の前記操作内容に対して、異なる前記周波数範囲および異なる前記周波数デフォルト値を設定してもよい。
【０１５９】
本開示の電子機器は、タッチ操作を受け付けるタッチパネルと、前記タッチ操作に同期して前記タッチパネルに振動を発生させる振動発生部と、前記タッチパネルとは別の振動源と、前記振動源の振動周波数を取得し、取得した前記振動周波数を、前記振動源の振動の卓越周波数とする卓越周波数取得部と、取得された前記卓越周波数の音と協和する音の周波数である協和音周波数を判定する協和音判定部と、前記振動の周波数を、判定された前記協和音周波数に設定する振動周波数設定部と、を有する。
【０１６０】
本開示の振動制御方法は、タッチ操作に同期して振動するタッチパネルと、前記タッチパネルとは別の振動源と、を備えた電子機器に対して用いられる振動制御方法であって、
前記振動源の振動周波数を取得し、取得した前記振動周波数を、前記振動源の振動の卓越周波数とするステップと、取得された前記卓越周波数の音と協和する音の周波数である協和音周波数を判定するステップと、前記タッチパネルの振動の周波数を、判定された前記協和音周波数に設定するステップと、を有する。
【産業上の利用可能性】
【０１６１】
本発明は、タッチ操作に同期して振動するタッチパネルの使用において、不快感の低減と操作感の維持とを両立させることができる振動制御装置、電子機器、および振動制御方法として有用である。本発明は、例えば、スマートフォン、タブレット端末、カーナビゲーション、冷蔵庫、電子レンジ、コピー機、電動マッサージ器、電動歯ブラシ等の、一定の周波数にて振動音を発する電気機器や、換気扇、扇風機、サーキュレータ、冷蔵庫、エアコン等の、一定の周波数にて回転音を発する等の電子機器に好適である。
【符号の説明】
【０１６２】
１００  電子機器
２１０  ディスプレイ
２２０  タッチパネル
２３０  振動素子
２４０  ディスプレイ制御部
２５０  タッチパネル検出部
２６０  振動素子制御部
２７０  回転ファン
２８０  回転数制御部
３００  振動制御装置
３１０  周波数範囲設定部
３２０  卓越周波数取得部
３３０  協和音判定部
３４０  振動周波数設定部
【図１】
2014123293.tif 000003
【図２】
2014123293.tif 000004
【図３】
2014123293.tif 000005
【図４】
2014123293.tif 000006
【図５】
2014123293.tif 000007
【図６】
2014123293.tif 000008
【図７】
2014123293.tif 000009
【図８】
2014123293.tif 000010
【図９】
2014123293.tif 000011
【図１０】
2014123293.tif 000012
【図１１】
2014123293.tif 000013
【図１２】
2014123293.tif 000014
【図１３】
2014123293.tif 000015
【図１４】
2014123293.tif 000016
【図１５】
2014123293.tif 000017